(57)【要約】【課題】  収納時に構成部品を効率よく配置し、薄型化かつ小型化が可能なレンズ鏡筒を提供する。【解決手段】  レンズ鏡筒２の撮影位置では第１レンズ群３１と第２レンズ群３２とを撮影光軸Ｊ１上の所望の位置に移動してズーミングし、収納位置では第１レンズ群３１と第２レンズ群３２とをＣＣＤ３５の側方でかつフォーカス駆動機構３の側方に退避させ、収納時の薄型化を図る。フォーカス機構３をレンズ鏡筒２内側に配置しているため、配置効率を向上させることができ、平面的にも小型化を図ることができる。【選択図】  図１４
2005326628.tif 000002
【特許請求の範囲】
【請求項１】
沈胴式のデジタルカメラ用レンズ鏡筒において、
被写体の画像信号を生成する撮像デバイスと、
レンズ鏡筒内側で撮像デバイスの側方に配置されフォーカスレンズ群を駆動するフォーカスモータと、
収納時にレンズ鏡筒内側で撮影光軸上から撮像デバイスの側方に退避収納される撮影光学系の少なくとも一部のレンズ群と
を備えることを特徴とするレンズ鏡筒。
【請求項２】
請求項１記載のレンズ鏡筒において、
撮影光学系は被写体側から第１レンズ群、第２レンズ群、第３レンズ群から成り、前記フォーカスレンズ群は第３レンズ群であることを特徴とするレンズ鏡筒。
【請求項３】
請求項２記載のレンズ鏡筒において、
フォーカスレンズ群を撮影光軸方向に駆動するレンズ駆動機構の少なくとも一部をフォーカスモータ側方に配置したことを特徴とするレンズ鏡筒。
【請求項４】
請求項３記載のレンズ鏡筒において、
前記レンズ駆動機構は送りねじ機構により構成されていることを特徴とするレンズ鏡筒。
【請求項５】
請求項２ないし４のいずれか１項記載のレンズ鏡筒において、
撮影光軸上から撮像デバイスの側方に退避収納されるレンズ群は第１レンズ群と第２レンズ群であることを特徴とするレンズ鏡筒。
【発明の詳細な説明】
【技術分野】
【０００１】
本発明は、収納位置と撮影位置を有する沈胴式のデジタルカメラ用レンズ鏡筒に関する。
【背景技術】
【０００２】
近年デジタルカメラの小型化の要求はとどまるところが無く、特に携帯性の向上のためにカメラ薄型化が重要視されており、カメラ薄型化の制約となっているレンズ鏡筒ユニットの薄型化が求められている。レンズ鏡筒ユニットの薄型化の手法としては、不使用時にレンズ群や撮像デバイスの間隔を減少させてレンズ鏡筒を沈胴して収納することが従来より実施されている。
【０００３】
また、特許文献１のように、収納状態では撮影レンズ群の一部が撮影光軸から退避して繰込まれ沈胴されるものがあり、収納状態でのレンズ鏡筒の薄型化が図られている。さらに、特許文献２のように、レンズ群の移動量を犠牲にすることなくレンズ繰出し用のカム筒を薄型化する手法もある。
【特許文献１】特開２００３−３１５８６１号公報
【特許文献２】特開２００４−８５９３４号公報
【発明の開示】
【発明が解決しようとする課題】
【０００４】
通常、デジタルカメラのフォーカスレンズを駆動するフォーカス駆動機構は、撮影光軸と平行に配置されたフォーカスモータとフォーカスモータに取り付けられた送りねじ機構により構成されている。これらのフォーカス駆動機構は、撮影光軸方向にフォーカスモータ全長と送りねじ全長とを加えた距離を占有するため、特許文献１のような手法で薄型化されたレンズ鏡筒についてはフォーカス駆動機構をレンズ鏡筒内側に配置することが困難である。このため、特許文献２の実施形態のようにフォーカス駆動機構をレンズ鏡筒の外側に配置せざるを得ず、レンズ鏡筒ユニットを正面から見た場合、平面的にレンズ鏡筒ユニットが大きくなってしまうという課題がある。
【０００５】
本発明は、上記課題に鑑み、撮影レンズ群の一部を退避収納して薄型化を図るとともにフォーカス駆動機構をレンズ鏡筒の内側に配置して、レンズ鏡筒ユニット全体を平面的に小型化することを目的とする。
【課題を解決するための手段】
【０００６】
請求項１に記載のレンズ鏡筒の発明は、沈胴式のデジタルカメラ用レンズ鏡筒において、被写体の画像信号を生成する撮像デバイスと、レンズ鏡筒内側で撮像デバイスの側方に配置されフォーカスレンズ群を駆動するフォーカスモータと、収納時にレンズ鏡筒内側で撮影光軸上から撮像デバイスの側方に退避収納される撮影光学系の少なくとも一部のレンズ群とを備えることを特徴とする。
【０００７】
請求項２に記載のレンズ鏡筒の発明は、請求項１記載のレンズ鏡筒において、撮影光学系は被写体側から第１レンズ群、第２レンズ群、第３レンズ群から成り、前記フォーカスレンズ群は第３レンズ群であることを特徴とする。
【０００８】
請求項３に記載のレンズ鏡筒の発明は、請求項２記載のレンズ鏡筒において、フォーカスレンズ群を撮影光軸方向に駆動するレンズ駆動機構の少なくとも一部をフォーカスモータ側方に配置したことを特徴とする。
【０００９】
請求項４に記載のレンズ鏡筒の発明は、請求項３記載のレンズ鏡筒において、前記レンズ駆動機構は送りねじ機構により構成されていることを特徴とする。
【００１０】
請求項５に記載のレンズ鏡筒の発明は、請求項２ないし４のいずれか１項記載のレンズ鏡筒において、撮影光軸上から撮像デバイスの側方に退避収納されるレンズ群は第１レンズ群と第２レンズ群であることを特徴とする。
【発明の効果】
【００１１】
請求項１に記載の発明によれば、レンズ鏡筒収納時に撮像デバイスとフォーカスモータと撮影レンズ群の一部とを撮影光軸に対して略同一平面状に収納でき、レンズ鏡筒の薄型化を図ることができる。また、それらの構成部材をレンズ鏡筒内部に効率よく配置できるため平面的にも小型化を図ることができる。
【００１２】
請求項２に記載の発明によれば、フォーカスレンズ群である第３レンズ群が撮像デバイスに近い位置に配置されることになるため、撮像デバイスの側方に配置されたフォーカスモータとの連動機構を構成しやすく、当該機構の簡素化を図ることができる。
【００１３】
請求項３に記載の発明によれば、従来フォーカスモータの先端に配置されていたフォーカスレンズ群のレンズ駆動機構をフォーカスモータの側方に配置するため、光軸方向の占有距離を短くできレンズ鏡筒の薄型化を達成できる。また、フォーカスモータとレンズ駆動機構をレンズ鏡筒内側に配置するため、レンズ鏡筒を平面的に小型化することができる。
【００１４】
請求項４に記載の発明によれば、フォーカスレンズ群のレンズ駆動機構を送りねじにより構成したため、簡素な構成で精度よく駆動することができる。
【００１５】
請求項５に記載の発明によれば、光学性能に影響が大きい被写体側より１番目のレンズ群と２番目のレンズ群どうしの相対位置関係を維持しつつ、それらのレンズ群をまとめて退避収納することができるため、レンズ鏡筒の光学性能を維持しながら薄型化を図ることができる。
【発明を実施するための最良の形態】
【００１６】
図１ないし図２１について本実施形態のレンズ鏡筒の全体構成を説明する。この実施形態はデジタルカメラ用のズームレンズ鏡筒に本発明を適用したものである。
【００１７】
図１に広角側の撮影位置におけるレンズ鏡筒２の断面図を示す。撮影光学系は被写体側から順に第１レンズ群３１、第２レンズ群３２、第３レンズ群３３、ローパスフィルタ３４、ＣＣＤ（撮像デバイス）３５からなっている。撮影光学系の光軸はＪ１である。撮影光軸Ｊ１はレンズ鏡筒の中心軸Ｊ２と平行であり、中心軸Ｊ２とは偏心している。ズーミングは第１レンズ群３１と第２レンズ群３２を撮影光軸Ｊ１方向にそれぞれ移動させることにより行い、フォーカシングは第３レンズ群３３を撮影光軸Ｊ１方向に移動させることによって行う。被写体側から第１レンズ群３１、第２レンズ群３２、第３レンズ群３３を通った光束はローパスフィルタ３４を通ってＣＣＤ３５に導かれる。なお、以下の説明中で「光軸方向」という記載は、特に断りがなければ撮影光軸Ｊ１と平行の方向を意味するものとする。
【００１８】
固定筒６１はボディ本体１に固定されており、固定筒６１の後方にはＣＣＤホルダ２１が固定筒６１の開口を覆うように固定されている。ＣＣＤホルダ２１にはＣＣＤ３５前方の開口部２１ａにローパスフィルタ３４が接着支持されている。また、ＣＣＤ３５は放熱板２２と一体支持されておりＣＣＤ３５はその放熱板２２を介してＣＣＤホルダ２１に固定されている。放熱板２２後方にはＣＣＤ３５で生成した電気信号を転送するためのＣＣＤ用フレキシブルプリント基板２３が配置される。
【００１９】
フォーカシングを行う第３レンズ群３３と第３レンズ群を駆動するフォーカス駆動機構３はＣＣＤホルダ２１に対して組込まれている。図２にフォーカス駆動機構３の断面図を示す。第３レンズ群３３を支持する第３レンズ枠４１はＣＣＤホルダ２１に設けられた一対のガイド軸Ａ４２とガイド軸Ｂ４３によって光軸方向に摺動可能に支持されている。ガイド軸Ａ４２は第３レンズ枠４１のメインのガイド軸でガイド軸Ｂ４３は第３レンズ枠４１の回転規制用であり、第３レンズ枠４１に形成したガイド穴４１ａと４１ｂと摺動可能に嵌っている。
フォーカスモータ４４は固定筒６１の内部で第３レンズ群３３とＣＣＤ３５の側方に配置されＣＣＤホルダ２１に対して固定されている。フォーカスモータ４４の回転駆動力は、フォーカスモータギア４５からフォーカスギア４６、４７を介して送りねじ４８に伝達され、送りねじ４８とナット４９の蝶合関係により第３レンズ枠４１が光軸方向に進退される。フォーカスモータ４４の回転駆動力はフォーカスギア４６、４７によって減速されるため、送りねじ４８は十分な回転トルクを得ることができる。第３レンズ枠４１は第３レンズ枠ばね５０によって光軸方向に付勢されている。フォーカスモータ４４はＣＣＤホルダ２１後方に配設したレンズ駆動用フレキシブルプリント基板５１を介してカメラの制御回路により制御される。
【００２０】
図３に撮影位置におけるレンズ鏡筒２の正面透視図を示す。固定筒６１の上部にはズームモータ８１と減速ギア列８２が配置されている。ズームモータ８１の駆動力は減速ギア列８２を介してズームギア８３に伝達される。ズームギア８３は光軸方向と平行なギア軸８４によって固定筒６１に対し回転可能に支持されている。ズームモータ８１、減速ギア８２、ズームギア８３が、レンズ鏡筒２の繰出し機構における駆動機構部である。ズームモータ８１はＣＣＤホルダ２１後方に配設したレンズ駆動用フレキシブルプリント基板５１を介してカメラの制御回路により制御される。
【００２１】
図４に固定筒６１の外周面側から見た展開図を示す。固定筒６１の内周には回転筒６２をガイドする３本のカム溝６１ａと規制筒６３をガイドする３本のカム溝６１ｂが形成されている。規制筒６３のカム溝６１ａは回転筒６２のカム溝６１ｂより深く形成されている。両カム溝６１ａ、６１ｂは同じカム軌跡を共有する領域６１ｃを有しており、この領域６１ｃでは図５に示すように２段形状のカム溝になっている。
【００２２】
図６に回転筒６２の外周面側から見た展開図を示す。回転筒６２は固定筒６１の内周側に位置し、回転筒６２に設けられた穴部６２ａには３つの回転筒カムフォロアピン６４が挿入されており固定筒６１のカム溝６１ａと係合する。また、回転筒６２の外周には、挿入された３つの回転筒カムフォロアピン６４の近傍位置に固定筒６１のカム溝６１ａとほぼ係合する形状を有する突起部６２ｂが形成されている。この突起部６２ｂの機能は後述する。回転筒６２の外周部にはズームギア８３と噛みあうギア部６２ｃが設けられており、ズームモータ８１、減速ギア８２、ズームギア８３からなる駆動機構の回転駆動力が伝達される。ズームギア８３の回転によって回転筒６２が中心軸Ｊ２まわりに回転すると回転筒６２は固定筒６１のカム溝６１ａに沿って繰出し繰込みされる。
【００２３】
図７に規制筒６３の外周面側から見た展開図を示す。規制筒６３は回転筒６２の内周側に位置し、規制筒６３の外周に設けられた爪部６３ａが回転筒６２の内周に設けられた溝部６２ｄと係合し、回転筒６２に対して相対的に光軸方向への動きは規制されるが互いに回転可能に支持されている。規制筒６３の外周には３つのカムフォロア６３ｂが形成されて固定筒６１のカム溝６１ｂと係合する。規制筒６３のカムフォロア６３ｂは断面形状が図８に示すように平行四辺形になっており、固定筒６１のカム溝６１ｂの直線領域６１ｄ、６１ｅと係合する際にはカムフォロア６３ｂの平面６３ｃが係合し、固定筒６１のカム溝６１ｂの斜面領域６１ｃと係合する際にはカムフォロア６３ｂの平面６３ｄが係合する。
【００２４】
図９にカム筒６５の外周面側から見た展開図を示す。カム筒６５は規制筒の内周側に位置し、外周に３つのカムフォロア６５ａが形成されている。カムフォロア６５ａは規制筒６３の内周に設けられたカム溝６３ｅと係合し、カム筒６５は規制筒６３との相対回転によって、規制筒６３のカム溝６３ｅによって繰出し繰込み動作を行う。また、カム筒６５に設けられた穴部６５ｂには３つのカム筒ガイド軸６６が挿入されており、このカム筒ガイド軸６６は規制筒６３の穴部６３ｆを貫通して回転筒６２内周部の光軸方向に設けられた直進溝６２ｅと係合している。これにより、カム筒６５と回転筒６２は相対回転が不能であるが光軸方向には相対的に動くことができる。
【００２５】
すなわち、回転筒６２と規制筒６３とが相対回転をすれば、カム筒６５が規制筒６３のカム溝６３ｅに沿って繰出し繰込みされる構成となる。
【００２６】
図１０に直進筒６７の外周面側から見た展開図を示す。直進筒６７はカム筒６５の内側に位置し、カム筒６５の内周面に設けられた爪部６５ｃが直進筒６７の外周に設けられた突起部６７ａ、６７ｂに挟み込まれることにより、相対的に光軸方向への動きは規制されるが互いに回転可能に支持されている。直進筒６７の外周面側に設けられたガイド爪部６７ｃは規制筒６３の内周部の光軸方向に設けられた直進溝６３ｇと係合する。これにより、直進筒６７と規制筒６３は相対回転が不能であるが光軸方向には相対的に動くことができる。
【００２７】
図１１に第１レンズ枠６８の外周面側から見た展開図を示す。第１レンズ枠６８はカム筒６５の内側に位置し、第１レンズ群３１を支持している。第１レンズ枠６８に設けられた穴部６８ａには３つの第１レンズ枠カムフォロアピン６９が挿入されており、第１レンズ枠カムフォロアピンの外周側のカムフォロア部６９ａはカム筒６５の内周に設けられたカム溝６５ｄと係合する。また、第１レンズ枠カムフォロアピン６９の内周側のガイド部６９ｂは直進筒６７の光軸方向に設けられた直進ガイド穴６７ｄと係合する。これにより、第１レンズ枠６８は、カム筒６５と直進筒６７との相対回転さらにはカム筒６５と規制筒６３との相対回転によって、直進筒６７および規制筒６３に対して相対回転することなく光軸方向にカム筒６５のカム溝６５ｄに沿って繰出し繰込みされる構成となる。
【００２８】
図１２に第２レンズ枠７０の外周面側から見た展開図を示す。第２レンズ枠７０は直進筒６７の内側に位置し、第２レンズ群３２を支持している。第２レンズ群７０の外周面には３つのカムフォロア７０ａが形成されており、カムフォロア７０ａはカム筒６５の内周に設けられたカム溝６５ｅと係合する。また、第２レンズ枠７０のカムフォロア７０ａの根元部７０ｂは直進筒６７の光軸方向に設けられた直進ガイド穴６７ｅと係合する。これにより、第２レンズ枠７０は、カム筒６５と直進筒６７との相対回転さらにはカム筒６５と規制筒６３との相対回転によって、直進筒６７および規制筒６３に対して相対回転することなく光軸方向にカム筒６５のカム溝６５ｅに沿って繰出し繰込みされる構成となる。
【００２９】
第２レンズ枠７０には被写体側からの入射光を遮るためのシャッタユニット７１が取り付けられる。シャッタユニット７１に設けられたアクチュエータ７１ａをカメラの制御回路と接続するためのシャッタ用フレキシブルプリント基板７２が、シャッタユニット７１からレンズ鏡筒２の内部を通ってＣＣＤホルダ２１後方に配設したレンズ駆動用フレキシブルプリント基板５１に接続される。
【００３０】
第２レンズ枠７０と第１レンズ枠６８の間には群間付勢ばね７３が設けられ、第２レンズ群７０と第１レンズ群６８を光軸方向に沿って互いに引き離す方向に付勢している。
これによって、第１レンズ枠６８とカム筒６５のカム係合部のがたと第２レンズ枠７０とカム筒６５のカム係合部のがたをなくすことができ、光学性能の安定化を図ることができる。
【００３１】
ここで、レンズ鏡筒２の収納位置から撮影位置への繰出し動作について説明する。
【００３２】
図１３に収納位置におけるレンズ鏡筒２の断面図を示す。また、図１４に収納位置におけるレンズ鏡筒２の正面透視図を示す。第１レンズ群３１と第２レンズ群３２の中心軸はＪ３であり、第３レンズ群３３とローパスフィルタ３４とＣＣＤ３５の側方、かつフォーカス駆動機構３の側方で撮影光軸Ｊ1から離れた位置に収納されている。つまり、第１レンズ群３１と第２レンズ群３２、第３レンズ群３３とローパスフィルタ３４とＣＣＤ３５、フォーカス駆動機構３の３つのブロックは光軸に垂直な略同一の平面上に収納されている。
【００３３】
第１レンズ群３１と第２レンズ群３２はレンズ鏡筒２の中心軸Ｊ２を中心に回転しながら光軸方向に繰出され図１に示す撮影位置の状態になる。レンズ鏡筒２の正面から見ると、図１５に示す収納位置の状態から第１レンズ群３１と第２レンズ群３２とがＺ１方向に回転しながら繰出され図１６に示す撮影位置の状態になる。撮影位置では第１レンズ群３１と第２レンズ群３２の中心軸Ｊ３と撮影光軸Ｊ１とが一致するため、レンズ鏡筒２の中心軸Ｊ２と撮影光軸Ｊ１の偏心距離と、レンズ鏡筒２の中心軸Ｊ２と第１レンズ群３１、第２レンズ群３１の中心軸Ｊ３の偏心距離とは等しい。
【００３４】
レンズ鏡筒２の収納位置においては、回転筒６２に挿入された回転筒カムフォロアピン６４は固定筒６１のカム溝の６１（１）位置に、規制筒６３のカムフォロア６３ｂはは固定筒６１のカム溝の６１（１１）位置にある。また、カム筒６５のカムフォロア６５ａは規制筒６３のカム溝の６３（１）位置にあり、第１レンズ枠６８に挿入された第１レンズ枠カムフォロアピン６９はカム筒６５のカム溝の６５（１）位置に、第２レンズ枠７０のカムフォロア７０ａはカム筒６５のカム溝の６５（１１）の位置にある。（図１７、図１８、図１９）
ズームギア８３の回転により回転筒６２が中心軸Ｊ２の回りに回転すると、回転筒カムフォロアピン６４は固定筒６１のカム溝６１（１）位置から６１（２）位置方向に動き光軸方向に繰出されていく。一方規制筒６３は回転筒６２に対して相対的に光軸方向への動きは規制されかつ固定筒６１のカム溝６１ｂによってガイドされているため、固定筒６１のカム溝６１（１１）位置から６１（１２）位置に沿って光軸方向に直進繰出しされる。規制筒６３が固定筒６１のカム溝６１（１１）位置から６１（１２）位置まで動く間は、回転筒６２と規制筒６３との間に相対回転が生じるため、カム筒６５のカムフォロア６５ａは規制筒６３のカム溝６３（１）位置から６３（２）位置方向へ、これと同時にカム筒６５と規制筒６３との間に相対回転が生じるため、第１レンズ枠カムフォロアピン６９はカム筒６５のカム溝６５（１）位置から６５（２）位置方向へ、第２レンズ枠７０のカムフォロア７０ａはカム筒６５のカム溝６５（１１）位置から６５（１２）位置方向へと動く。
【００３５】
回転筒カムフォロアピン６４が固定筒６１のカム溝６１（２）位置に達した時には、規制筒６３のカムフォロア６３ｂは固定筒６１のカム溝６１（１２）位置に、カム筒６５のカムフォロア６５ａは規制筒６３のカム溝６３（２）位置に、第１レンズ群カムフォロアピン６９はカム筒６５のカム溝６５（２）位置に、第２レンズ群７０のカムフォロア７０ａはカム筒６５のカム溝６５（１２）位置にそれぞれ駆動される。
【００３６】
この動きにより、規制筒６３は光軸方向に直進繰出しされ、さらにカム筒６５、第１レンズ枠６８と第２レンズ枠７０も光軸方向に直進繰出しされるので、第１レンズ群３１と第２レンズ群３２とは光軸方向の被写体側に直進繰出しされることになる。
【００３７】
これによって、その後に第１レンズ群３１と第２レンズ群とが回転運動を始める前に、第１レンズ群３１と第２レンズ群３２をその側方にある第３レンズ群３３、ローパスフィルタ３４、ＣＣＤ３５及びフォーカス駆動機構３と干渉しない位置まで直進繰出しすることができる。
【００３８】
回転筒カムフォロアピン６４が固定筒６１のカム溝の６１（２）位置からさらに回転を続け６１（３）位置まで回転筒６２を繰出していくと、規制筒６３のカムフォロア６３ｂは固定筒６１のカム溝の６１（１３）位置に達する。この動作中は、回転筒６２の角度あたりの繰出し量と規制筒６３の角度あたりの繰出し量とが同じになるように固定筒６１のカム溝６１ａ、６１ｂが形成されているため、回転筒６２の規制筒６３の相対回転は発生しない。
【００３９】
このため、回転筒６２、規制筒６３、カム筒６５、直進筒６７、第１レンズ枠６８、第２レンズ枠７０は一体となって中心軸Ｊ２まわりに回転しながら繰出されていく。
【００４０】
この動作の途中で回転筒カムフォロアピン６４が固定筒６１のカム溝の６１（１３）位置を通過する時、固定筒６１のカム溝６１ｂがカム溝６１ａより深く形成されているため、回転筒カムフォロアピン６４は固定筒６１のカム溝６１ａの６１（１４）位置側で係合がなくなるが、回転筒６２に設けられた突起部６２ｂが固定筒６１のカム溝６１ａとほぼ係合しているためスムーズに負荷変動なく繰出されていく。すなわち、回転筒カムフォロアピン６４は固定筒６１のカム溝６１ａに対して主のガイド部であるが、回転筒カムフォロアピン６４が固定筒６１のカム溝の６１（１３）位置を通過する時に限り、従のガイド部である回転筒６２に設けられた突起部６２ｂがガイド機能を果たす。上記の「ほぼ係合」とは、従のガイド部である回転筒６２に設けられた突起部６２ｂの係合が、主のガイド部である回転筒カムフォロアピン６４の係合に対して過拘束になる等のガイド機能を阻害することがない程度に係合している状態のことを示す。
【００４１】
回転筒カムフォロアピン６４が固定筒６１のカム溝の６１（３）位置に、かつ規制筒６３のカムフォロア６３ｂが固定筒６１のカム溝の６１（１３）位置に達したときに、撮影光軸Ｊ１と第１レンズ群３１と第２レンズ群３２の中心軸Ｊ３が一致する。
【００４２】
回転筒カムフォロアピン６４が固定筒６１のカム溝の６１（３）位置からさらに回転を続け６１（４）位置まで回転筒６２を繰出していくと、規制筒６３のカムフォロア６３ｂは固定筒６１のカム溝の６１（１３）位置から６１（１４）位置まで光軸方向に直進繰出しされる。この時の動きは回転筒カムフォロアピン６４が固定筒６１のカム溝の６１（１）位置から６１（２）位置に駆動されるときと同様の関係になる。すなわち、回転筒６２と規制筒６３との間に相対回転が生じカム筒６５のカムフォロア６５ａは規制筒６３のカム溝の６３（２）位置から６３（４）位置に駆動され、カム筒６５と規制筒６３との相対回転が生じ第１レンズ枠カムフォロアピン６９はカム筒６５のカム溝の６５（２）位置から６５（４）位置に、第２レンズ枠７０のカムフォロア７０ａはカム筒６５のカム溝の６５（１２）位置から６５（１４）位置に駆動される。この位置がレンズ鏡筒２の広角側の撮影位置であり、図１の断面図に相当する位置である。
【００４３】
次に広角側の撮影位置から望遠側の撮影位置までのズーミング動作について説明する。
【００４４】
ズームギア８３の回転により回転筒６２が回転し、回転筒カムフォロアピン６４は固定筒６１のカム溝の６１（４）位置（広角側の撮影位置に相当する位置）から６１（５）位置（望遠側の撮影位置に相当する位置）まで駆動される。この範囲の固定筒６１のカム溝は光軸方向に対して垂直方向に形成されているため、回転筒６２は光軸方向に繰出されることなく回転軸Ｊ２まわりに回転し、規制筒６３は停止したままとなる。この動作中は回転筒６２と規制筒６３との間で相対回転が生じるのでカム筒６５のカムフォロア６５ａは規制筒６３のカム溝の６３（４）位置から６３（５）位置まで駆動され、カム筒６５と規制筒６３との間で相対回転が生じるので第１レンズ枠カムフォロアピン６９はカム筒６５のカム溝の６５（４）位置から６５（５）位置まで、第２レンズ枠７０のカムフォロア７０ａはカム筒６５のカム溝の６５（１４）位置から６５（１５）位置までそれぞれのカム溝にガイドされて駆動される。規制筒６３は停止しているので、第１レンズ群３１を支持している第１レンズ枠６８と第２レンズ群７０を支持している第２レンズ群７０は中心軸Ｊ２まわりに回転することなく光軸方向にそれぞれ進退する。カム筒６５と規制筒６３のそれぞれのカム溝は、広角側から望遠側までの間で焦点距離が順次可変になるような形状で形成されている。図２０は望遠側の撮影位置におけるレンズ鏡筒２の断面図である。
【００４５】
望遠側の撮影位置から広角側の撮影位置方向への駆動は、ズームギア８３を逆方向に回転させれば良いため、ズームギア８３を駆動するズームモータ８１の制御により任意の焦点距離を得ることができる。また、広角側の撮影位置から収納位置までの駆動についても、ズームギア８３を逆方向に回転させれば上記説明の反対方向の動作を行うので図１３に示す収納状態へと導くことができる。
【００４６】
図２１に回転筒６２の回転角度とレンズ鏡筒２の各移動部材の光軸方向移動距離との関係図を示す。横軸は回転筒６２の回転角度であり、縦軸は回転筒６２、規制筒６３、カム筒６５、第２レンズ枠７０、第１レンズ枠６８の光軸方向への絶対的な移動距離である。各移動部材の移動時の通過ポイントに対応するカム溝の位置（図１７、図１８、図１９）を図２１中に示す。図２１によりレンズ鏡筒２の各移動部材の光軸方向移動の関係を理解することができる。
【００４７】
上記の構成により、レンズ鏡筒２の撮影位置では第１レンズ群３１と第２レンズ群３２とを撮影光軸Ｊ１上の所望の位置に移動してズーミングすることができ、収納位置（カメラ不使用時の位置）では第１レンズ群３１と第２レンズ群３２とを第３レンズ群３３とローパスフィルタ３４とＣＣＤ３５の側方でかつフォーカス駆動機構３の側方に退避させてレンズ鏡筒２の薄型化を図る構成を実現することができる。
【００４８】
また、フォーカスレンズ群である第３レンズ群３３のレンズ駆動機構を送りねじ４８により構成し、フォーカスモータ４４の側方に配置したので、フォーカス駆動機構３がレンズ鏡筒２の光軸方向の厚みに対する制約とはならない。このフォーカス駆動機構３によって、送りねじ４８の光軸方向の長さを十分に確保することができる、つまり第３レンズ群３３の光軸移動量を十分に確保することができるので、光学設計に対して自由度を大きく与えることができる。
【００４９】
また、フォーカス駆動機構３をレンズ鏡筒２の内側に配置して、各構成部品を効率よくレイアウトすることができるため、レンズ鏡筒２を正面から見た場合の平面的な大きさを小型化することができる。これによって、ボディ本体１の小型化にも貢献できる。
【００５０】
また、第１レンズ群３１と第２レンズ群３２は、規制筒６３より内側の筒状構成部品によって共に支持されているため、光学性能に大きな影響を与える第１レンズ群３１と第２レンズ群３２とのレンズ光軸の偏心や相対的な傾きを減少させることができるので、撮影位置で光学性能を維持することができる。
【００５１】
さらに、これらの繰出し機構はズームモータ８１を駆動源として回転筒６２の回転のみによって行われるため、専用の第１レンズ群３１と第２レンズ群の退避機構やその駆動源を別途設ける必要はなく、レンズ鏡筒２の構成が簡素化されて小型化を図ることができる。
【００５２】
以上本発明の実施形態について説明してきたが、本発明は上記実施形態に限定されるものではなく、様々な変形が可能である。
【００５３】
例えば、本実施形態ではフォーカスモータ４４を光軸方向に配置したが、配置効率が良くなるのであれば光軸と垂直方向等の任意の方向に配置しても良い。
【００５４】
また、本実施形態ではズームレンズ鏡筒について本発明を適用したものであるが、ズーム動作を行わない鏡筒いわゆる単焦点レンズ鏡筒に対しても適用可能である。単焦点レンズ鏡筒への適用の場合でもズームレンズ鏡筒への適用の場合と同様に収納位置での薄型化を図ることができ、平面的な大きさも小型化することができる。
【００５５】
レンズ鏡筒の光学系は３つのレンズ群により必ずしも構成される必要はなく、１つでも２つでも４つ以上でも良い。退避させるレンズ群も第１レンズ群３１、第２レンズ群３２に限られることなく光学系のうち任意のレンズ群を選択することができる。
【産業上の利用可能性】
【００５６】
レンズ鏡筒の薄型化と小型化が図れ携帯性にすぐれたカメラを提供できるので、デジタルカメラ分野で利用価値が高い。
【図面の簡単な説明】
【００５７】
【図１】広角側の撮影位置におけるレンズ鏡筒の断面図である。
【図２】レンズ鏡筒のフォーカス駆動機構の断面図である。
【図３】撮影位置におけるレンズ鏡筒の正面透視図である。
【図４】固定筒の外周面側から見た展開図である。
【図５】固定筒のカム溝部の断面図である。
【図６】回転筒の外周面側から見た展開図である。
【図７】規制筒の外周面側から見た展開図である。
【図８】規制筒カムフォロア部の断面図である。
【図９】カム筒の外周面側から見た展開図である。
【図１０】直進筒の外周面側から見た展開図である。
【図１１】第１レンズ枠の外周面側から見た展開図である。
【図１２】第２レンズ枠の外周面側から見た展開図である。
【図１３】収納位置におけるレンズ鏡筒の断面図である。
【図１４】収納位置におけるレンズ鏡筒の正面透視図である。
【図１５】収納位置におけるレンズ鏡筒の正面図である。
【図１６】撮影位置におけるレンズ鏡筒の正面図である。
【図１７】固定筒のカム溝位置の指示図である。
【図１８】規制筒のカム溝位置の指示図である。
【図１９】カム筒のカム溝位置の指示図である。
【図２０】望遠側の撮影位置におけるレンズ鏡筒の断面図である。
【図２１】回転筒回転角度と各移動部材の光軸方向移動距離との関係図である。
【符号の説明】
【００５８】
１  ボディ本体
２  レンズ鏡筒
３  フォーカス駆動機構
２１  ＣＣＤホルダ
３１  第１レンズ群
３２  第２レンズ群
３３  第３レンズ群
３４  ローパスフィルタ
３５  ＣＣＤ
４１  第３レンズ群
４４  フォーカスモータ
４８  送りねじ
６１  固定筒
６２  回転筒
６３  規制筒
６４  回転筒カムフォロアピン
６５  カム筒
６６  カム筒ガイド軸
６７  直進筒
６８  第１レンズ枠
６９  第１レンズ枠カムフォロアピン
７０  第２レンズ枠
７１  シャッタ
８１  ズームモータ
８３  ズームギア
【図１】
2005326628.tif 000003
【図２】
2005326628.tif 000004
【図３】
2005326628.tif 000005
【図４】
2005326628.tif 000006
【図５】
2005326628.tif 000007
【図６】
2005326628.tif 000008
【図７】
2005326628.tif 000009
【図８】
2005326628.tif 000010
【図９】
2005326628.tif 000011
【図１０】
2005326628.tif 000012
【図１１】
2005326628.tif 000013
【図１２】
2005326628.tif 000014
【図１３】
2005326628.tif 000015
【図１４】
2005326628.tif 000016
【図１５】
2005326628.tif 000017
【図１６】
2005326628.tif 000018
【図１７】
2005326628.tif 000019
【図１８】
2005326628.tif 000020
【図１９】
2005326628.tif 000021
【図２０】
2005326628.tif 000022
【図２１】
2005326628.tif 000023